(57)【要約】【課題】映像出力機能を持つ一台の画像投射制御装置に、複数台のデータ処理装置が接続されていても、画像投射制御装置側でプレゼンテーションを行うデータ処理装置を選択してその画像を制御できる複数画像表示可能な画像投射制御装置を提供する。【解決手段】画像情報を出力する複数のデータ処理装置４０と接続して複数の画像情報を基に形成された画像を表示部２２を経由してスクリーンに投射する画像投射制御装置１０は、入力した画像情報を編集して表示部２２に出力する画像制御部２３と、画像操作部３０とを有し、画像操作部３０は、画面に移動可能にポインターを表示してそのポインターの指定するコマンドの実行を指示するためのポインティングデバイス３１と、ポインターの現在位置の画面に対応したデータ処理装置４０を選択するデータ処理装置選択部３５と、選択されたデータ処理装置４０に指定されたコマンドの実行を指示する実行指示部３７とを有する。【選択図】図１
2005181404.tif 000002
【特許請求の範囲】
【請求項１】
画像情報を出力する複数のデータ処理装置と接続し、複数の前記画像情報を基に形成された画像を表示部を介してスクリーンに投射する画像投射制御装置において、
前記画像投射制御装置は、入力した前記画像情報を編集して前記表示部に出力する画像制御手段と、前記画像制御手段と前記データ処理装置とを操作する画像操作手段とを有し、
前記画像操作手段は、
前記スクリーン上の画面に移動可能にポインターを表示し、該ポインターの指定する画面上のコマンドの実行を指示するためのポインティングデバイスと、
前記複数のデータ処理装置のうち、前記ポインターの現在位置の画面に対応した画像を出力するデータ処理装置を選択するデータ処理装置選択手段と、
選択された前記データ処理装置に、指定されたコマンドの実行を指示する選択コマンド実行指示手段と、を有することを特徴とする複数画像表示可能な画像投射制御装置。
【請求項２】
複数の前記画像情報の前記スクリーン上への表示は、所定の配列による複数の画像の表示と、選択された特定の画像のみの表示とに切換えが可能である、請求項１に記載の複数画像表示可能な画像投射制御装置。
【請求項３】
前記ポインターの現在位置に対応して選択された前記データ処理装置の画面には、選択されたことを示すシンボルが表示される、請求項１または請求項２に記載の複数画像表示可能な画像投射制御装置。
【請求項４】
前記シンボルは画面の縁辺の着色された枠か高輝度の枠のいずれかである、請求項３に記載の複数画像表示可能な画像投射制御装置。
【請求項５】
前記複数のデータ処理装置と前記前記画像投射制御装置とはネットワークで接続されている、請求項１から請求項４のいずれか１項に記載の複数画像表示可能な画像投射制御装置。
【発明の詳細な説明】
【技術分野】
【０００１】
本発明は画像投射制御装置に関し、特に複数画像表示可能な画像投射制御装置に関する。
【背景技術】
【０００２】
液晶技術やＤＬＰ（登録商標）（デジタルライトプロセッシング）技術の急速な進展に伴うプロジェクタの小型化・高性能化により、映像投射を目的とするプロジェクタの用途も拡大し、置き台に置かれた資料を撮影してスクリーンに投射する当初の機能から発展して、コンピュータと接続してコンピュータで作成された画像データをスクリーンに投射するようになり、また投射画面の大型化も進み、スクリーンの一つの画面を分割して複数のコンピュータからの画面をそれぞれに表示することも行われている。
【０００３】
この場合、従来のプロジェクタなどの画像投射制御装置を用いたプレゼンテーションシステムでは、画像情報を出力するパーソナルコンピュータなどのデータ処理装置を画像投射制御装置側から遠隔操作する場合、一対一の接続が原則であり、複数台のデータ処理装置を接続して使用する場合などは、ネットワークとの接続を確保して遠隔操作できるデータ処理装置は１台だけであり、遠隔操作するデータ処理装置を変更する場合にはその都度接続を切換える必要があった。
【０００４】
一方、複数のディスプレイとそれぞれに接続したパーソナルコンピュータとを１つのポインティングデバイスで共有して全てのパーソナルコンピュータに一度に信号を送信して画像を制御できるマルチディスプレイシステムが開示されている（特許文献１参照）。また、複数のコンピュータと、入力部と各コンピュータにより処理される各種データを表示する表示部とを有するコンソール装置と、コンピュータのＩ／Ｏポートとコンソール装置を接続する接続装置を備え、接続装置はカーソル情報に基づいて各接続先のコンピュータを定義したコンピュータ接続定義テーブルと、入力部からカーソルが表示部の画面上の端から外方向に移動したというカーソル情報を得たとき、定義された接続先のコンピュータに切換えるコンピュータ切替え部と、切換えられたコンピュータにより処理されるデータを表示部に表示させる表示制御部とから構成されるマルチコンピュータシステムが開示されている（特許文献２参照）。
【特許文献１】特開２００２−５５８０８
【特許文献２】特開２００２−３２３９６８
【発明の開示】
【発明が解決しようとする課題】
【０００５】
従来のプレゼンテーションシステムでは、発表者が複数いてそれぞれのデータ処理装置を用いて説明する場合においては、発表者が変わるたびに毎回、画像投射制御装置にデータ処理装置を接続し直す操作を行うか、プレゼンテーション用のデータをあらかじめ画像投射制御装置に接続した発表用のデータ処理装置一台に集約しておくかなどの手法をとることが必要であった。
【０００６】
特許文献１に記載の発明では、１台のポインティングデバイスでそれぞれのディスプレイを有するコンピュータを制御しているが、プレゼンテーションなどでプロジェクタなどのディスプレイを複数台使用してマルチディスプレイシステムを構築するものであって、１台のプロジェクタから複数のコンピュータの画像を投射するプレゼンテーションには適用できない。また、特許文献２に記載の発明はマルチコンピュータシステムの発明であり、ディスプレイに表示されている画面をカーソル操作で他のコンピュータのデータに切換えることができるが、複数のコンピュータのデータを同時に表示することはできない。
【０００７】
本発明の目的は、映像出力機能を持つ一台の画像投射制御装置に、複数台のデータ処理装置が接続されていても、画像投射制御装置側でプレゼンテーションを行うデータ処理装置を選択してその画像を制御できる複数画像表示可能な画像投射制御装置を提供することにある。
【課題を解決するための手段】
【０００８】
本発明の複数画像表示可能な画像投射制御装置は、
画像情報を出力する複数のデータ処理装置と接続し、複数の画像情報を基に形成された画像を表示部を介してスクリーンに投射する画像投射制御装置である。画像投射制御装置は、入力した画像情報を編集して表示部に出力する画像制御手段と、画像制御部とデータ処理装置とを操作する画像操作手段とを有しており、画像操作手段は、スクリーン上の画面に移動可能にポインターを表示し、そのポインターの指定する画面上のコマンドの実行を指示するためのポインティングデバイスと、複数のデータ処理装置のうち、ポインターの現在位置の画面に対応した画像を出力するデータ処理装置を選択するデータ処理装置選択手段と、選択されたデータ処理装置に指定されたコマンドの実行を指示する選択コマンド実行指示手段とを有することを特徴とする。
【０００９】
複数の画像情報のスクリーン上への表示は、所定の配列による複数の画像の表示と、選択された特定の画像のみの表示とに切換えが可能であってもよく、ポインターの現在位置に対応して選択されたデータ処理装置の画面には、選択されたことを示すシンボルが表示されてもよく、シンボルは画面の縁辺の着色された枠か高輝度の枠のいずれかであってもよい。また、複数のデータ処理装置と画像投射制御装置とはネットワークで接続されていてもよい。
【発明の効果】
【００１０】
本発明は、複数台のデータ処理装置が接続されてそれぞれの画像が画面に表示される必要のあるようなプレゼンテーションにおいて、複雑な操作を行うことなく画像の操作の切換えができて円滑にプレゼンテーションが行えるようになるという効果がある。
【００１１】
これは、一台の画像投射制御装置に接続されている複数台のデータ処理装置を、画像投射制御装置の１個のポインティングデバイスのポインターでスクリーンの画面から選択して、さらに選択したデータ処理装置の画像をその１個のポインターを用いて制御することができるからである。
【発明を実施するための最良の形態】
【００１２】
次に、本発明の実施の形態について図面を参照して説明する。図１は本発明の複数画像表示可能な画像投射制御装置の模式的ブロック構成図であり、図２は本発明の複数画像表示可能な画像投射制御装置を用いて構成されたリモートデスクトッププレゼンテーションシステムの模式的ブロック構成図である。
【００１３】
本発明の複数画像表示可能な画像投射制御装置１０は、例えばネットワーク８０を介して接続された複数のデータ処理装置４０からの画像を一括表示可能な画像投射制御装置であって、画像投射制御装置１０側のポインティングデバイス３１によってスクリーン７０の画面に表示されているデータ処理装置４０の表示領域にポインターを移動させることにより、移動先に表示されている画面のデータ処理装置４０の制御を自動的に画像投射制御装置１０側のポインティングデバイス３１の操作に切換えられることを特徴とする。
【００１４】
ネットワーク８０を介しプロジェクタなどの画像投射制御装置１０を用いたリモートデスクトッププレゼンテーションシステム１００において、複数のデータ処理装置４０の表示画面をネットワーク８０を介して画像投射制御装置１０からスクリーン７０に同時に表示する場合に、それぞれのデータ処理装置４０の表示画面にポインターを移動するだけで、そのポインターの位置データが対象のデータ処理装置４０側に送信されて、データ処理装置４０の操作が行えるようになるので、データ処理装置４０と画像投射制御装置１０との接続の切換えを手動で行う必要がなくなり、優れた操作性が得られる。
【００１５】
図１に示されるように、本発明の複数画像表示可能なプロジェクタなどの画像投射制御装置１０は、投射レンズ２１と表示部２２とを有する投影装置２０と、表示部２２の映像を制御する画像制御部２３と、画像操作部３０と、全体の動作を制御する中央処理装置６０とを備え、画像制御部２３によって表示部２２に形成された映像が投射レンズ２１を介してスクリーン７０に投射される。
【００１６】
画像操作部３０は、スクリーン７０上の画面にポインターを投射して移動できるポインティングデバイス３１と、ポインティングデバイス３１からの位置情報と実行指示情報を入力する入力部３２と、ネットワーク８０を介して接続する外部の複数のデータ処理装置４０との間での情報の入出力を行う入出力部３３と、ポインティングデバイス３１からの位置情報によりポインター位置データを検出するポインター位置データ検出部３４と、ポインター位置データからその位置に対応するデータ処理装置４０を選択するデータ処理装置選択部３５と、ポインター位置データからその位置に対応するコマンドを選択するコマンド選択部３６と、ポインティングデバイス３１からの実行指示情報によって選択されたコマンドを画像制御部２３あるいは接続するデータ処理装置４０に実行させる実行指示部３７とを備え、ポインターにより選択されたコマンドによって投射画面上の画像枠の切換えと選択、ポインターにより選択された画像に対応するデータ処理装置４０におけるコマンドに対応した制御が実行される。
【００１７】
図２に示される複数画像表示可能な画像投射制御装置１０を用いて構成されたリモートデスクトッププレゼンテーションシステム１００は、画像投射制御装置１０と、複数のデータ処理装置４０と、スクリーン７０とから構成されており、これらの画像投射制御装置１０、データ処理装置４０は、ＬＡＮなどのネットワーク８０を介して接続されている。画像投射制御装置１０は投影装置２０とポインティングデバイス３１とを有しており、投影装置２０はデータ処理装置４０から送られてくる情報を画像としてスクリーン７０に投射し、ポインティングデバイス３１はスクリーン７０に投射されたポインターの操作によって、スクリーン７０に投射された画像から所定のデータ処理装置４０の画像を選択して、そのデータ処理装置４０の処理を制御する。
【００１８】
画像投射制御装置１０は接続されているデータ処理装置４０の台数に応じて、画像投射制御装置１０から投射される画面を分割して、各データ処理装置４０の画面を一括で表示することができる。また、画像投射制御装置１０のスクリーン７０上の画面にはポインティングデバイス３１で操作できるポインター７２が表示されており、ポインター７２をポインティングデバイス３１で操作すると、そのポインター７２の表示位置によりデータ処理装置４０を自動的に選択する機能と、選択したデータ処理装置４０を操作する機能とを備えている。
【００１９】
次に図３〜図６を参照して本実施の形態の複数画像表示可能な画像投射制御装置の動作について詳細に説明する。図３は、本発明の複数画像表示可能な画像投射制御装置１０を用いて構成されたリモートデスクトッププレゼンテーションシステム１００の模式的斜視図であり、図４は、画面上でポインター７２を移動したときの画面の変化を示す模式図であり、ａ）はポインター７２がＣの画面上にあるとき、ｂ）はポインター７２がＢの画面上に移動したときであり、図５は、画面上で分割画面の拡大操作を行った時の変化を示す模式図であり、ａ）は拡大前の状態、ｂ）は拡大後の状態であり、図６は、ポインティングデバイス３１と画像投射制御装置１０とデータ処理装置４０との間の処理の流れを示すフローチャートである。
【００２０】
ここでは、図３に示すようにデータ処理装置４０のＡ、Ｂ、Ｃ、Ｄの４台と、画像投射制御装置１０の１台とが、ＬＡＮなどのネットワーク８０によって接続されている。また、それぞれのデータ処理装置４０の画面はネットワーク８０を通じて、画像投射制御装置１０からスクリーン７０に投射された画面にそれぞれ分割表示されている。ここでは、左上にＡ、右上にＢ、左下にＣ、右下にＤの画面が表示されている。分割表示の形態は４面に限定されるものではなく、どのように分割するかは、例えばポインティングデバイス３１の実行指示のクリックボタン以外のクリックボタンの操作によって画面に分割条件のコマンドを表示させ、ポインタ−の移動と実行指示のクリックボタンのクリックにより選択を実行させてもよく、画像投射制御装置１０に選択ボタンが設けられていてもよい。
【００２１】
また図４に示すように、画像投射制御装置１０を操作するポインティングデバイス３１のポインター７２はスクリーン７０に投射された画面上にあり、ポインティングデバイス３１の操作によって自由に移動できる。そして、それぞれのデータ処理装置４０に対応している分割画面上のいずれかにポインター７２があるとき、その画面にその画面が選択されていることを示すシンボル、例えばフレームの着色や高明度化、が表示されるとともに、画面上に表示されているメニューバーからポインター７２でコマンドを選択して、実行のためのクリックを行うことによってそのデータ処理装置４０を遠隔操作することができる。
【００２２】
また図５に示すように、分割画面のいずれかがポインター７２によって選択されてシンボル表示が行なわれているときに、ポインティングデバイス３１のクリックボタンの特殊な操作、例えば選択ボタンのダブルクリックによって、その分割画面を画像投射制御装置１０から投射されている全画面の大きさに自動的に切換えることができ、利用したいデータ処理装置４０の選択を簡単に行うとともに大画面で表示し、この画面のデータ処理装置４０を遠隔操作することができる。
【００２３】
続いて、図６を参照して本実施の形態の画像投射制御装置１０を用いたリモートデスクトッププレゼンテーションシステム１００の画像表示処理の流れについて説明する。
【００２４】
先ず、画像投射制御装置１０で分割表示条件を設定する（Ｓ１０１）。データ処理装置４０はそれぞれの画面を画像投射制御装置１０に転送し（Ｓ４０１）、画像投射制御装置１０は分割表示条件に従ってそれぞれの画面をスクリーン７０上に投射する（Ｓ１０２）。ポインティングデバイス３１は選択画面を変更しないのであればステップＳ３０３に進み（Ｓ３０１Ｎ）、選択画面を変更するのであれば（Ｓ３０１Ｙ）、ポインター７２を選択画面上に移動し（Ｓ３０２）、画像投射制御装置１０は選択画面シンボルを選択された画面に表示する（Ｓ１０３）。ポインティングデバイス３１は画面を拡大しないのであればステップＳ３０４に進み（Ｓ３０３Ｎ）、画面を拡大するのであれば（Ｓ３０３Ｙ）、所定の入力を行って、画像投射制御装置１０は選択画面を拡大表示する（Ｓ１０４）。ポインティングデバイス３１は画面を縮小しないのであればステップＳ３０５に進み（Ｓ３０４Ｎ）、画面を縮小するのであれば（Ｓ３０４Ｙ）、所定の入力を行って、画像投射制御装置１０は選択画面を縮小表示する（Ｓ１０５）。
【００２５】
ポインティングデバイス３１はポインター７２を画面上のメニューバーの所定の位置に移動させ（Ｓ３０５）、クリックによってコマンドを選択し（Ｓ３０６）、処理終了であれば（Ｓ３０７Ｙ）、処理を終了し、処理終了でなければ（Ｓ３０７Ｎ）、ステップ３０１に戻る。
【００２６】
画像投射制御装置１０はコマンド選択を待機し（Ｓ１０６Ｎ）、コマンドの選択があれば（Ｓ１０６Ｙ）、コマンドの実行を選択されているデータ処理装置４０に指示する（Ｓ１０７）。
【００２７】
データ処理装置４０は、コマンド実行指示を待機し（Ｓ４０２Ｎ）、コマンド実行指示があれば（Ｓ４０２Ｙ）、コマンドを実行して（Ｓ４０３）、画面を更新する（Ｓ４０４）。処理終了であれば（Ｓ４０５Ｙ）、処理を終了し、処理終了でなければ（Ｓ４０５Ｎ）、ステップＳ４０２に戻る。
【００２８】
画像投射制御装置１０はデータ処理装置４０から更新した画面を受けて投射画面を更新し（Ｓ１０８）、処理終了であれば（Ｓ１０９Ｙ）、処理を終了し、処理終了でなければ（Ｓ１０９Ｎ）、ステップＳ１０６に戻る。
【００２９】
このような操作によって、プレゼンテーションの対象となる画面を選択し、必要により拡大表示し、画像投射制御装置１０のポインティングデバイス３１により、対象となる画面を出力しているデータ処理装置４０を制御することができる。
【図面の簡単な説明】
【００３０】
【図１】本発明の複数画像表示可能な画像投射制御装置の模式的ブロック構成図である。
【図２】本発明の複数画像表示可能な画像投射制御装置を用いて構成されたリモートデスクトッププレゼンテーションシステムの模式的ブロック構成図である。
【図３】本発明の複数画像表示可能な画像投射制御装置を用いて構成されたリモートデスクトッププレゼンテーションシステムの模式的斜視図である。
【図４】画面上でポインターを移動したときの画面の変化を示す模式図である。ａ）はポインターがＣの画面上にあるときである。ｂ）はポインターがＢの画面上に移動したときである。
【図５】画面上で分割画面の拡大操作を行った時の変化を示す模式図である。ａ）は拡大前の状態である。ｂ）は拡大後の状態である。
【図６】ポインティングデバイスと画像投射制御装置とデータ処理装置との間の処理の流れを示すフローチャートである。
【符号の説明】
【００３１】
１０    画像投射制御装置
２０    投影装置
２１    投射レンズ
２２    表示部
２３    画像制御部
３０    画像操作部
３１    ポインティングデバイス
３２    入力部
３３    入出力部
３４    ポインター位置検出部
３５    データ処理装置選択部
３６    コマンド選択部
３７    実行指示部
４０    データ処理装置
６０    中央処理装置
７０    スクリーン
７１    スクリーン上の画像
７２    ポインター
８０    ネットワーク
１００    リモートデスクトッププレゼンテーションシステム
【図１】
2005181404.tif 000003
【図２】
2005181404.tif 000004
【図３】
2005181404.tif 000005
【図４】
2005181404.tif 000006
【図５】
2005181404.tif 000007
【図６】
2005181404.tif 000008